(57)【特許請求の範囲】
【請求項１】
ディジタルビデオ信号が入力され、これをビデオＤＡＣによりアナログビデオ信号に変換して出力する、複合カラー映像信号チャンネル、輝度信号チャンネル、色度信号チャンネルを有するビデオＤＡＣ装置において、
前記色度信号チャンネルに位相反転手段を設け、
前記輝度信号チャンネルに、前記位相反転手段での処理遅延時間に相当する遅延時間を有する遅延手段を設けたことを特徴とするビデオＤＡＣ装置。
【請求項２】
前記複合カラー映像信号チャンネルに、前記位相反転手段での処理遅延時間に相当する遅延時間を有する遅延手段を設けたことを特徴とする請求項１に記載のビデオＤＡＣ装置。
【請求項３】
ディジタルビデオ信号が入力され、これをビデオＤＡＣによりアナログビデオ信号に変換して出力する、複合カラー映像信号チャンネル、輝度信号チャンネル、色度信号チャンネルを有するビデオＤＡＣ装置において、
前記色度信号チャンネルに位相反転手段を設け、
前記複合カラー映像信号チャンネルに、前記位相反転手段での処理遅延時間に相当する遅延時間を有する遅延手段を設けたことを特徴とするビデオＤＡＣ装置。
【請求項４】
前記位相反転手段は、ディジタル反転回路により構成されていることを特徴とする請求項１〜３のいずれかに記載のビデオＤＡＣ装置。
【請求項５】
前記各チャンネルにおけるビデオＤＡＣの出力を前記位相反転手段による位相反転の他はそれぞれ位相反転なしに前記アナログビデオ信号の出力先に供給することにより、複合カラー映像信号および色度信号を互いに逆の位相で前記アナログビデオ信号の出力先に供給することを特徴とする請求項１〜４のいずれかに記載のビデオＤＡＣ装置。
【発明の詳細な説明】
【０００１】
【発明の属する技術分野】
本発明は、ディジタルＴＶ、ＤＶＤ、ゲーム機等に用いられるＩＣ化されたビデオＤＡＣ装置（ディジタル・アナログ変換器装置）に関し、特に多チャンネル化されたビデオＤＡＣ装置に関する。
【０００２】
【従来の技術】
従前からのカラーＴＶ信号は、輝度信号Ｙ、クロマ信号Ｃや同期信号などが複合された複合カラー映像信号（コンポジット信号）Ｎとして形成されており、受像機において、複合されている輝度信号Ｙと色度信号（クロマ信号）Ｃとを分離することになる。この輝度信号Ｙとクロマ信号ＣとのＹ／Ｃ分離を精度良く行うことが困難であり、これが画質劣化の要因となっていた。
【０００３】
これに対処するため、高画質を要求されるディジタルＴＶ等のビデオＤＡＣ装置では、従前のコンポジット信号Ｎの他に、高解像度ＶＴＲのいわゆるＳ映像信号のように、輝度信号Ｙとクロマ信号Ｃとを別々に用意し、３チャンネル構成とすることが行われている。これにより、ＴＶ視聴者において、利用したい出力を用いるようにすることができる。
【０００４】
【発明が解決しようとする課題】
クロマ信号Ｃは副搬送波（ＮＴＳＣ方式では３．５８ＭＨｚ、ＰＡＬ方式では４．４３ＭＨｚ）で第１色差信号Ｂ−Ｙ、第２色差信号Ｒ−Ｙを直交位相変調しているから、その副搬送波周波数近傍にエネルギーが分布している。この３チャンネルのビデオＤＡＣ装置はＩＣ化されていることもあり、各チャンネルの信号配線間等に寄生容量Ｃｐが形成されるから、クロマ信号Ｃと輝度信号Ｙとが分離されているにも関わらず輝度信号Ｙにクロマ信号Ｃのクロストークが発生することは避けられない。さらに、他チャンネルのコンポジット信号Ｎにはクロマ信号が同様に含まれているから、コンポジット信号Ｎ中のクロマ信号によっても、輝度信号Ｙはクロストークを受ける。
【０００５】
このように、輝度信号Ｙのチャンネルは、並行する他の２チャンネルから、クロマ信号Ｃの高周波成分の影響を重畳して受けるから、輝度信号のアナログ出力におけるクロストークが一段と悪化し、画質の低下を招いてしまうという問題があった。
【０００６】
そこで、本発明は、複合カラー映像信号チャンネル、輝度信号チャンネル、色度信号チャンネルを有するビデオＤＡＣ装置において、輝度信号チャンネルへの、他チャンネルからのクロストークを低減し、画質の低下を防止することを目的とする。
【０００７】
【課題を解決するための手段】
本発明のビデオＤＡＣ装置は、ディジタルビデオ信号が入力され、これをビデオＤＡＣによりアナログビデオ信号に変換して出力する、複合カラー映像信号チャンネル、輝度信号チャンネル、色度信号チャンネルを有するビデオＤＡＣ装置において、前記色度信号チャンネルに位相反転手段を設けることを特徴としている。
【０００８】
また、その位相反転手段は、色度信号チャンネルのビデオＤＡＣの入力側に設けられたディジタル反転回路により構成するとよい。
【０００９】
また、色度信号Ｃとともにカラー信号群を構成する輝度信号Ｙのチャンネルに、位相反転手段での処理遅延時間に相当する遅延時間を有する遅延手段を設け、信号のタイミングを合わせることが望ましい。
【００１０】
また、複合カラー映像信号チャンネルに、位相反転手段での処理遅延時間に相当する遅延時間を有する遅延手段を設け、輝度信号Ｙのチャンネルに対するクロストークの影響を完全に打ち消すようにすることが望ましい。
【００１１】
これにより、複合カラー映像信号チャンネル、輝度信号チャンネル、色度信号チャンネルを有するビデオＤＡＣ装置において、色度信号チャンネルからのクロストーク成分と複合カラー映像信号チャンネルからのクロストーク成分とを打ち消すことで、輝度信号チャンネルへのクロストークを低減し、画質の低下を防止することができる。
【００１２】
【発明の実施の形態】
以下、図面を参照して本発明のビデオＤＡＣ装置の実施の形態について説明する。
【００１３】
図１は、本発明のビデオＤＡＣ装置１０のＤＡＣに関する部分の概略構成を示す図であり、半導体集積回路装置として形成されている。図１において、Ｎｄは、ＮＴＳＣ方式やＰＡＬ方式などのｎビットのディジタルコンポジット信号であり、カラー映像に必要とされる輝度信号Ｙや、副搬送波（ＮＴＳＣ方式では３．５８ＭＨｚ、ＰＡＬ方式では４．４３ＭＨｚ）で第１色差信号Ｂ−Ｙ、第２色差信号Ｒ−Ｙを直交位相変調しているクロマ信号、水平・垂直同期信号などがすべて含まれているディジタルのカラーＴＶ信号である。なお、ｎビットはたとえば１０ビットであり、特に断らない限り他のディジタル信号も、同じビット数で形成されている。Ｙｄは、ディジタル輝度信号であり、ここでは水平同期信号、垂直同期信号なども含まれている。Ｃｄは、副搬送波で第１色差信号Ｂ−Ｙ、第２色差信号Ｒ−Ｙを直交位相変調しているディジタルクロマ信号であり、副搬送波のバースト信号も含まれている。
【００１４】
この３チャンネルの信号Ｎｄ、Ｙｄ、Ｃｄのうち、ディジタル輝度信号Ｙｄとディジタルクロマ信号Ｃｄとで１つのカラー信号群が構成されており、ディジタル輝度信号Ｙｄとディジタルクロマ信号Ｃｄとが別々に形成されているため、モニタ側でＹ／Ｃ分離を行う必要がなく、精度の良いカラー画像を得ることができる。また、ディジタルコンポジット信号Ｎｄは単独でカラー信号を構成する。
【００１５】
これら３チャンネルの信号、すなわちディジタルコンポジット信号Ｎｄ、ディジタル輝度信号Ｙｄ、ディジタルクロマ信号Ｃｄは、一組のカラー信号Ｒ，Ｇ，Ｂから形成され、各信号のタイミングが同一に調整された信号として供給される。
【００１６】
そして、コンポジット信号チャンネルにおいて、ディジタルコンポジット信号Ｎｄは第１ラッチ回路１１でラッチされ、遅延時間τ１の第１遅延回路１２で遅延され、ｎビットのデータが第１デコーダ１３でデコードされ、第１ビデオＤＡＣ１４でアナログ信号に変換され、アナログコンポジット信号Ｎａとして、ビデオＤＡＣ装置１０から出力される。なお、デコーダ１３はｎビットのディジタルデータを第１ビデオＤＡＣ１４に適合した所定ｍビットのコードにデコードするものであり、第１ビデオＤＡＣ１４の構成によっては設ける必要がない場合もある。この点は、他のチャンネルにおいても同様である。
【００１７】
輝度信号チャンネルにおいて、ディジタル輝度信号Ｙｄは第２ラッチ回路２１でラッチされ、遅延時間τ１の第２遅延回路２２で遅延され、ｎビットのデータが第２デコーダ２３でデコードされ、第２ビデオＤＡＣ２４でアナログ信号に変換され、アナログ輝度信号Ｎａとして、ビデオＤＡＣ装置１０から出力される。
【００１８】
同様に、クロマ信号チャンネルにおいて、ディジタルクロマ信号Ｃｄは第３ラッチ回路３１でラッチされ、ディジタル反転回路３２で信号位相が反転され、ｎビットのデータが第３デコーダ３３でデコードされ、第３ビデオＤＡＣ３４でアナログ信号に変換され、アナログクロマ信号Ｎａとして、ビデオＤＡＣ装置１０から出力される。
【００１９】
ここで、反転回路３２は、インバータ回路によりディジタルクロマ信号Ｃｄに含まれる副搬送波のバースト信号の期間も含めて全ての信号の位相を反転するものである。この反転処理に要する時間をτ１とすると、第１遅延回路１２及び第２遅延回路２２の遅延を遅延時間τ１とし、各チャンネルのタイミングを合致させている。
【００２０】
ＣＬＫは、外部から供給されるシステムクロックであり、各チャンネルに共通に供給される。
【００２１】
Ｃｐは、第１ビデオＤＡＣ１４，第２ビデオＤＡＣ２４及び第３ビデオＤＡＣ３４の各出力間に、ビデオＤＡＣ装置１０の内部で発生する寄生静電容量であり、Ｃｐ′は同じくビデオＤＡＣ装置１０の外部で発生する寄生静電容量である。
【００２２】
この図１で、アナログ輝度信号Ｙａ及びアナログクロマ信号Ｃａにより構成されるカラー信号群と、アナログコンポジット信号Ｎａのカラー信号がそれぞれ、ＴＶ受像機やモニタに供給される。そして、ＴＶ受像機やモニタ内において、入力されるカラー信号に応じた信号処理、例えば色信号の復調処理や、ＲＧＢマトリクス処理などが施されて、Ｒ信号、Ｇ信号、Ｂ信号を得ることになる。
【００２３】
次に、本発明のビデオＤＡＣ装置の作用について、図２の動作説明用回路構成図及び図３の動作説明用信号波形図を用いて説明する。
【００２４】
図２は、図１のデコーダ１３，２３，３３を省略して説明しやすくした図であり、コンポジット信号チャンネルの第１ビデオＤＡＣ１４の出力側、輝度信号チャンネルの第２ビデオＤＡＣ２４の出力側、及びクロマ信号チャンネルの第３ビデオＤＡＣ３４の出力側の各相互間には、ビデオＤＡＣ装置１０の内部で発生する寄生静電容量Ｃｐおよび外部で発生する寄生静電容量Ｃｐ′（図示省略）が存在する。これらの寄生静電容量Ｃｐ、Ｃｐ′を介して各チャンネル相互間で、それぞれの信号に応じて、影響を及ぼし合うことになる。
【００２５】
なお、外部で発生する寄生静電容量Ｃｐ′による影響は、内部で発生する寄生静電容量Ｃｐと同様であるので、以後の説明は、内部で発生する寄生静電容量Ｃｐのみについて行う。
【００２６】
また、負荷等価回路４０は、アナログコンポジット信号Ｎａ、アナログ輝度信号Ｙａ、アナログクロマ信号Ｃａの各出力端子から見た、信号処理回路などの等価回路であり、それぞれコンデンサＣ１と抵抗Ｒ１とから形成される。抵抗Ｒ１は通常７５オームであり、コンデンサＣ１は大容量である。電源電位Ｖｃｃ及び基準電位Ｖｓｓから駆動用電源が供給されるが、この電源電位Ｖｃｃ及び基準電位Ｖｓｓには、寄生抵抗Ｒｐ、寄生インダクタンスＬｐが、ＩＣ構成上存在している。
【００２７】
図３において、アナログ輝度信号Ｙａは同図（ｂ）のように、黒レベルを基準として、負方向に水平同期信号があり、正方向に画面に応じた輝度レベルを有している。この輝度レベルの上限は破線で示している白レベルであり、下限は黒レベルである。この輝度レベルは画面の輝度に対応して変動するものであるが、ここでは説明の都合上所定の傾きを持った直線で表している。アナログクロマ信号Ｃａは同図（ｃ）のように、副搬送波のバースト信号及び、副搬送波で第１色差信号Ｂ−Ｙ、第２色差信号Ｒ−Ｙを直交位相変調しているクロマレベルを有している。
【００２８】
また、アナログコンポジット信号Ｎａは同図（ａ）のように、黒レベルを基準として負方向に水平同期信号、副搬送波のバースト信号及び、黒レベルを基準として正方向に画面に応じた輝度レベルと、この輝度レベルに重畳されている、副搬送波で第１色差信号Ｂ−Ｙ、第２色差信号Ｒ−Ｙを直交位相変調しているクロマレベルを有している。
【００２９】
このように、アナログコンポジット信号Ｎａは、アナログ輝度信号Ｙａとアナログクロマ信号Ｃａとを加算したものとなっている。ただ、ディジタルクロマ信号Ｃｄを反転回路３２により位相反転しているから、アナログクロマ信号Ｃａの位相は、アナログコンポジット信号Ｎａに含まれるクロマ信号成分（バースト信号及びクロマレベル）とは、その位相が逆位相となっている。なお、アナログクロマ信号Ｃａの位相を反転しているが、色再生の基準として使用されるバースト信号も含めて位相反転を行うから、モニタなどでの使用に際して何らの不都合もない。
【００３０】
さて、ビデオＤＡＣ装置１０が動作を開始すると、コンポジット信号チャンネルでは、ディジタルコンポジット信号Ｎｄが所定時間τ１だけ遅延された上で第１ＤＡＣ１４により変換されて、アナログコンポジット信号Ｎａとして出力される。同様に、輝度信号チャンネルでは、ディジタル輝度信号Ｎｄが所定時間τ１だけ遅延された上で第２ＤＡＣ２４により変換されて、アナログ輝度信号Ｙａとして出力される。さらに、クロマ信号チャンネルでは、ディジタルクロマ信号Ｎｄが反転回路３２で位相反転された上で、第３ＤＡＣ３４により変換されて、アナログクロマ信号Ｃａとして出力される。
【００３１】
アナログコンポジット信号Ｎａ、アナログ輝度信号Ｙａ、アナログクロマ信号Ｃａの相互間で、寄生静電容量Ｃｐを介して、それぞれの信号に応じて、影響を及ぼし合うことになる。特に、アナログコンポジット信号Ｎａ及びアナログクロマ信号Ｃａには副搬送波周波数成分（バースト信号及びクロマレベル）が含まれているから、図中一点鎖線矢印で示すように、アナログ輝度信号Ｙａにこの副搬送波周波数成分によるクロストークによる影響が大きくなりやすい。
【００３２】
しかし、本発明においては、アナログクロマ信号Ｃａと、アナログコンポジット信号Ｎａに含まれているアナログクロマ信号とが逆位相となるように設定されているから、アナログ輝度信号Ｙａに対する、アナログクロマ信号Ｃａによるクロストークと、アナログコンポジット信号Ｎａに含まれているアナログクロマ信号によるクロストークとが互いに打ち消し合う。したがって、輝度信号チャンネルへのクロストークは低減され、画質の低下が防止される。
【００３３】
クロストークをよりよく打ち消すため、ビデオＤＡＣ装置１０内において、輝度信号チャンネルに対する、コンポジット信号チャンネルからの影響及びクロマ信号チャンネルからの影響が等しくなるように、輝度信号チャンネルに対してそれらの配置を対称にするなどの考慮をすることが望ましい。
【００３４】
なお、アナログコンポジット信号Ｎａに含まれているアナログ輝度信号成分及び輝度信号Ｙａにも周波数成分を含んでいるが、これらの周波数成分による影響度は小さいので特に問題とならない。
【００３５】
また、３チャンネルの輝度信号Ｙとクロマ信号Ｃ及びコンポジット信号Ｎとが同時に使用される場合（例えばＣＲＴモニタとビデオデッキを使用する場合とか、複数台のモニタを使用する場合）には、複数の負荷を同時に駆動することになる。この場合、ＩＣ化されているビデオＤＡＣ装置にとっては、予定されている出力電流より大きい出力電流を供給することになり、かつそれらの出力電流がまったく同時に増減するから、そのＩＣの電源電圧が揺らぎ、画質劣化の原因となってしまうことがある。
【００３６】
本発明では、アナログコンポジット信号Ｎａに含まれているアナログクロマ信号成分と、アナログクロマ信号Ｃａとが逆位相にされているから、３チャンネルの輝度信号Ｙとクロマ信号Ｃ及びコンポジット信号Ｎとが同時に使用される場合にも、アナログクロマ信号成分による電流と、アナログクロマ信号Ｃａによる電流とが重なることはなく、逆位相であるから一方が吐き出し電流のときには、他方は吸い込み電流の関係にあるから、その分だけＩＣの電源電圧の揺らぎを低減することができる。
【００３７】
この同時駆動の場合の動作を図２により説明すると、アナログコンポジット信号Ｎａに含まれているアナログクロマ信号成分による電流ｉ１が、電源電位Ｖｃｃから第１ビデオＤＡＣ１４を介して負荷等価回路４０の所定の負荷に流れる。このとき同時に、アナログクロマ信号Ｎａによる電流ｉ２が、負荷等価回路４０の他の所定の負荷から第３ビデオＤＡＣ３４を介して基準電位Ｖｓｓに流れる。
【００３８】
電源電位Ｖｃｃ（或いは基準電位Ｖｓｓ）の変動は、寄生抵抗Ｒｐによる抵抗電圧降下は勿論であるが、寄生インダクタンスＬｐに流れる電流の変化にともなう誘導電圧降下の影響が大きい。つまり、その電圧降下は、Ｒｐ（ｉ１＋ｉ２）＋Ｌｐ（ｄｉ１／ｄｔ＋ｄｉ２／ｄｔ）で表現されるから、電流ｉ１と電流ｉ２とが同時に同方向に変化する場合には、特に大きくなる。
【００３９】
しかし、本発明では、図２中に、実線矢印線及び破線矢印線で示すように、電流ｉ１，ｉ２の増減方向が逆になるから、誘導電圧降下が打ち消し合い、抵抗電圧降下の半減と相俟って、電源電位Ｖｃｃ（或いは基準電位Ｖｓｓ）の変動は少なくなる。
【００４０】
このように、電流ｉ１と電流ｉ２が電源電位Ｖｃｃ（或いは基準電位Ｖｓｓ）に重畳して流れることはないから、同時駆動の場合の電源電位Ｖｃｃ（或いは基準電位Ｖｓｓ）の揺らぎが、低減される。したがって、その分だけ、高画質を提供することができる。
【００４１】
以上の実施の形態では、反転回路３２での反転処理に要する時間τ１と同じ遅延時間を有する、第１遅延回路１２及び第２遅延回路２２を、それぞれコンポジット信号チャンネル中及び輝度信号チャンネル中に設けることとしている。しかし、反転処理に要する時間τ１が短く、アナログコンポジット信号Ｎａに含まれているアナログクロマ信号成分による電流ｉ１とアナログクロマ信号Ｃａによる電流ｉ２との位相差が小さな範囲に収まる場合には、第１遅延回路１２を設ける必要がなく、削除することができる。
【００４２】
また、第２遅延回路２２については、アナログクロマ信号Ｃａとアナログ輝度信号とで１つのカラー信号を形成するから、極力タイミングをそろえることが望ましいが、反転処理に要する時間τ１が短く、その時間τ１の差がカラー画像として許容できる場合には、やはり削除することができる。
【００４３】
また、第１ビデオＤＡＣ１４〜第３ビデオＤＡＣ３４の駆動能力によっては、その出力側にそれぞれドライバ回路を設けて、各ドライバ回路から出力するように構成しても良い。
【００４４】
【発明の効果】
本明細書中に記載のビデオＤＡＣ装置によれば、複合カラー映像信号チャンネル、輝度信号チャンネル、色度信号チャンネルを有するビデオＤＡＣ装置において、色度信号チャンネルに位相反転手段を設けることにより、色度信号チャンネルからのクロストーク成分と複合カラー映像信号チャンネルからのクロストーク成分とを打ち消して、輝度信号チャンネルへのクロストークを低減し、画質の低下を防止することができる。
【００４５】
また、本明細書中に記載のビデオＤＡＣ装置によれば、位相反転手段は、色度信号チャンネルのビデオＤＡＣの入力側に設けられたディジタル反転回路により構成するから、その反転処理が容易である。
【００４６】
また、本明細書中に記載のビデオＤＡＣ装置によれば、色度信号Ｃとともにカラー信号群を構成する輝度信号Ｙのチャンネルに、位相反転手段での処理遅延時間に相当する遅延時間を有する遅延手段を設けるから、各チャンネルの信号のタイミングを合わせることができ、画質を向上することができる。
【００４７】
また、本明細書中に記載のビデオＤＡＣ装置によれば、複合カラー映像信号チャンネルに、位相反転手段での処理遅延時間に相当する遅延時間を有する遅延手段を設けるから、輝度信号Ｙのチャンネルに対するクロストークの影響を完全に打ち消すようにすることができる。
【図面の簡単な説明】
【図１】本発明の第１の実施の形態に係るビデオＤＡＣ装置の構成図。
【図２】本発明の動作説明用回路構成図。
【図３】本発明の動作説明用信号波形図。
【符号の説明】
１０  ビデオＤＡＣ装置
１１  第１ラッチ回路
１２  第１遅延回路
１３  第１デコーダ
１４  第１ビデオＤＡＣ
２１  第２ラッチ回路
２２  第２遅延回路
２３  第２デコーダ
２４  第２ビデオＤＡＣ
３１  第３ラッチ回路
３２  反転回路
３３  第３デコーダ
３４  第３ビデオＤＡＣ
Ｙｄ  ディジタル輝度信号
Ｎｄ  ディジタルコンポジット信号
Ｃｄ  ディジタルクロマ信号
Ｙａ  アナログ輝度信号
Ｎａ  アナログコンポジット信号
Ｃａ  アナログクロマ信号
４０  負荷等価回路
Ｖｃｃ  電源電位
Ｖｓｓ  基準電位
【図１】
0004762440.tif 000002
【図２】
0004762440.tif 000003
【図３】
0004762440.tif 000004